(57)【特許請求の範囲】
【請求項１】
遊技球が球タンクから球供給皿へ向かって導かれる途中に、遊技球が流下する球通路が配設され、前記球通路の途中に、該遊技球の通過を検出コイルの磁気特性の変化に基づいて検出する磁気センサを設けた弾球遊技機の球検出装置において、
前記磁気センサには、前記遊技球が１個ずつ通過する球検出用孔部が設けられ、該磁気センサの球通路下流側に密接させて金属板を設け、該金属板は、前記磁気センサの球検出用孔部と連続する位置に、該球検出用孔部を通過する遊技球が通過する孔部を有し、
該孔部は、前記磁気センサの球検出用孔部を通過した遊技球が、へり部分に接触して、該遊技球の通過速度を減速する形態に設けられていることを特徴とする弾球遊技機の球検出装置。
【請求項２】
前記磁気センサの球検出用孔部を８角形形状に形成するとともに、前記金属板の孔部を円形として、前記球検出用孔部の最小面間距離に一致するように形成することを特徴とする請求項１記載の弾球遊技機の球検出装置。
【請求項３】
前記金属板がステンレスから形成されていることを特徴とする請求項１または２記載の弾球遊技機の球検出装置。
【発明の詳細な説明】
【０００１】
【発明の属する技術分野】
本発明は、弾球遊技機に設けられた球通路の所定位置において、通過する遊技球を磁気的に検出して貸出球や賞球を正確に計数するための弾球遊技機の球検出装置に関するものである。
【０００２】
【従来の技術】
従来より、パチンコ機等の弾球遊技機は、入賞口へ遊技球が入賞した際に所定数の賞球を払い出すための払出装置を備えている。また、カードリーダライタを備えて、プリペイドカードを挿入することにより所定数の遊技球を貸し出すことができるいわゆるＣＲ機では、この払出装置を使用して遊技球の貸し出しを行なうことができるようになっている。
【０００３】
このように、貸出球と賞球の双方を払い出し可能な払出装置を備えた弾球遊技機では、球タンクから上皿および下皿へ至る球通路が、払出装置の下流側で貸出球通路と賞球通路とに分岐しており、その分岐部には貸出球通路と賞球通路とを選択的に切り替えるための球通路切替装置が設けられており、また、遊技球がこの切り替えられた球通路に入った直後において、貸出球通路あるいは賞球通路を通過する遊技球を計数し得る球検出装置が設けられており、貸し出される遊技球数および払い出される遊技球数が所期のものであるか否かを検知できるようにしている。
【０００４】
図１１に模式的に示すように、この球検出装置（磁気的検知センサ本体）８０は、その一部に遊技球が１個づつ通過し得る程度の大きさとされた孔部１８０と、この球検出装置の内部であって、この孔部１８０の付近に設けられた検出コイル部５８２と、この検出コイル部５８２において発生された発振信号に基づいて、遊技球Ｐの通過があったか否かを判別する回路ブロック５８４を備えている。なお、上記孔部１８０は、例えば図１２に示すように８角形形状とされている。
【０００５】
検出コイル部５８２においては、そのコイルに通電されることにより、磁界が発生し、図中の矢印で示す如く、磁束が孔部１８０を通過するように形成される。金属製（導体）の遊技球がこの孔部１８０に接近し、遊技球Ｐが磁束を切るようにして通過するとき、この遊技球Ｐの表面に渦電流損が発生する。これによりコイルの磁束が減少し、コイル発振信号の振幅が低下する。この振幅の低下を検知することにより、遊技球が通過したことが検出される。球検出装置８０の遊技球Ｐの通過検知幅Ｌ１は、例えば図９（Ａ）に示すように、Ａ点とＢ点の間の距離となる。
【０００６】
【発明が解決しようとする課題】
ところで、上述した球検出装置８０の遊技球通過検知幅Ｌ１は製品間でバラツキがあるため、遊技球通過検知幅Ｌ１の小さいものが搭載された場合、遊技球Ｐの通過速度が速いと検出コイル部５８２から出力される信号が極めて短いものになってしまい、信号検出を行なうことが困難となる場合があった。読取ソフトの改善にも限界があり、上記信号検出の確実性が望まれていた。
【０００７】
本発明は、上記事情に鑑みなされたもので、球通路の所定位置を通過する遊技球を検出する球検出装置において、遊技球の通過速度が速くても、製品間の特性のバラツキによることなく確実に遊技球の通過を検出できる弾球遊技機の球検出装置を提供することを目的とするものである。
【０００８】
【課題を解決するための手段】
本発明に係る弾球遊技球の球検出装置は、上述した目的を達成するため、以下の特徴点を備えている。
【０００９】
すなわち、遊技球が球タンクから球供給皿へ向かって導かれる途中に、遊技球が流下する球通路が配設され、前記球通路の途中に、該遊技球の通過を検出コイルの磁気特性の変化に基づいて検出する磁気センサを設けた弾球遊技機の球検出装置において、
前記磁気センサには、前記遊技球が１個ずつ通過する球検出用孔部が設けられ、該磁気センサの球通路下流側に密接させて金属板を設け、該金属板は、前記磁気センサの球検出用孔部と連続する位置に、該球検出用孔部を通過する遊技球が通過する孔部を有し、該孔部は、前記磁気センサの球検出用孔部を通過した遊技球が、へり部分に接触して、該遊技球の通過速度を減速する形態に設けられていることを特徴とするものである。
【００１１】
また、前記磁気センサの球検出用孔部を８角形形状に形成するとともに、前記金属板の孔部を円形として、前記球検出用孔部の最小面間距離に一致するように形成することが好ましい。
【００１２】
さらに、前記金属板がステンレスから形成されていることが好ましい。
【００１３】
【発明の実施の形態】
以下、図面に基づいて、本発明の実施形態に係る弾球遊技機の球検出装置について説明する。なお、以下の説明においては、本発明装置を弾球遊技機の代表例であるパチンコ機に適用した場合について説明する。
【００１４】
＜パチンコ機概要＞
図３〜５は、本発明の一実施形態に係るパチンコ機を示すもので、図３はパチンコ機の正面図、図４は遊技部内の詳細構成を示す図、および図５はパチンコ機の背面図である。
【００１５】
図３に示すように、本発明の一実施形態に係るパチンコ機２３０では、パチンコ機２３０の側方に設けられた貸球機２４０に、プリペイドカードを挿入することにより供給される遊技球を、その遊技部３（詳細は、図４参照）内に弾発させることによって、弾球遊技を行なうことができるようになっている。
また、パチンコ機２３０は、本体側の外枠２３１の上半部に開閉可能に取り付けられた前側枠体２８０を備えており、その下方には操作部２９０が設けられている。
【００１６】
操作部２９０には、遊技に使用するための遊技球を貯留するとともに賞として払い出される遊技球を受け入れるための上受け皿２９１と、上受け皿２９１からオーバーフローした遊技球を受け入れるための下受け皿２９２とが上下に並べて取り付けられている。また、下受け皿２９２の右側には遊技球の発射操作を行なうための発射装置２９３が設けられ、下受け皿２９２の左側には灰皿２９４が設けられている。さらに、上受け皿２９１には、当該パチンコ機２３０における球貸操作等を行なうための操作パネル２９５が設けられている。
【００１７】
一方、前側枠体２８０は、遊技者側の前面に設置される装飾枠２８１と、この装飾枠２８１の背面に設置される中枠（図示せず）と、この中枠の背面に設置される透明板（ガラス板）の保持枠（図示せず）とを備えてなる。
なお、前側枠体２８０の背面側に、以下に説明する遊技盤１が配されることになる。
【００１８】
＜遊技盤＞
図４に示すように、遊技盤１の表面には、一対のガイドレール２で囲まれた略円形の遊技部３が設けられており、遊技部３内には、複数の障害釘４や風車５等の障害部材を配設するとともに、複数の特別図柄画像や演出画像を変動表示するための画像表示装置６と、普通図柄を変動表示するための普通図柄表示装置７と、複数の入賞口と、いずれの入賞口にも入賞しなかった遊技球を遊技部３内から排出するためのアウト口８とを備えている。
【００１９】
＜入賞口＞
入賞口は、その機能によって複数種類に区分されており、遊技球が入賞したことを条件として所定数の賞球を排出するための一般入賞口９と、遊技球が通過したことを条件として、普通図柄表示装置７における普通図柄の変動表示を開始させるための普通図柄始動口１０と、遊技球を受け入れ易い状態と、遊技球を受け入れ難い状態との間で切換可能な変動部材（以下、普通電動役物１３と称す）を有し、遊技球が入賞したことを条件として画像表示装置６における特別図柄画像の変動表示を開始させるための始動入賞口１１と、遊技球を受け入れ易い状態と、遊技球を受け入れ難い状態との間で切換可能となっており、画像表示装置６における特別図柄画像の停止表示態様が所定の賞態様を構成した場合に、所定時間および所定回数だけ遊技球を受け入れ易い状態に切り換えられる大入賞口１２とからなる。
【００２０】
＜普通図柄始動口＞
普通図柄始動口１０は、始動入賞口１１の左下方に設けられており、通過する遊技球を検出するようになっている。この普通図柄始動口１０の通過球は、４個まで記憶可能となっており、この入賞記憶に基づいて、普通図柄表示装置７における図柄の変動表示が行われる。
【００２１】
＜始動入賞口＞
始動入賞口１１の上部には、遊技球を受け入れ易い状態と、遊技球を受け入れ難い状態との間で切換可能ないわゆるチューリップ状の普通電動役物１３が設けられている。この普通電動役物１３は、通常の状態では遊技球を受け入れ難い状態となっており、普通図柄表示装置７において「当たり」となった場合に、所定時間（例えば、０．３秒間）だけ遊技球を受け入れ易い状態に切り換えられる。
【００２２】
また、始動入賞口１１への入賞球は、４個まで記憶可能となっており、この入賞記憶に基づいて、画像表示装置６における特別図柄の変動表示が行われる。
【００２３】
＜画像表示装置＞
画像表示装置６は、遊技部３のほぼ中央に設けられた液晶表示装置からなり、画像で表現される複数の特別図柄画像を変動表示するとともに、遊技状態に対応したアニメーション表示を行なうことにより、遊技演出を行なうことができるようになっている。
また、この画像表示装置６の画面周辺を取り囲むように、画面枠部材１４が設けられている。
【００２４】
画像表示装置６に表示される特別図柄画像は、例えば「０」「１」「２」・・・「９」「１０」「１１」等の数字からなり、停止表示された数字の組み合わせが「７」「７」「７」等のように同一の数字の組み合わせとなった場合を「大当たり」として、一般遊技と比較して遊技者に有利な特別遊技を行なうことができる。
【００２５】
この特別遊技とは、例えば大入賞口１２を、所定時間および所定回数だけ遊技球を受け入れ易い状態に切り換えて、一般遊技よりも多くの遊技球を入賞させることにより、多くの賞球を獲得することができるような遊技である。
【００２６】
＜普通図柄表示装置＞
普通図柄表示装置７は、始動入賞口１１の前方に配設された７セグメント表示器からなり、普通図柄として「０」「１」「２」・・・「７」「８」「９」等の数字を変動表示し、停止表示された数字が「３」あるいは「７」となった場合を「当たり」とする。そして、「当たり」が発生すると、始動入賞口１１に設けられた普通電動役物１３を、所定時間だけ遊技球を受け入れ易い状態に切り換えて、始動入賞口１１に遊技球を入賞させ易くする。
【００２７】
なお、普通図柄表示装置７は、上述した７セグメント表示器により構成する他に、例えば画像表示装置６の上方に設けられた緑色発光用の普通図柄表示ＬＥＤと赤色発光用の普通図柄表示ＬＥＤにより構成することができる。このような普通図柄表示装置７は、各色の普通図柄表示ＬＥＤが交互に点滅するようになっており、これら普通図柄表示ＬＥＤの点滅期間が終了した時点で緑色発光用の普通図柄表示ＬＥＤが点灯している場合を「当たり」としている。
【００２８】
＜パチンコ機における遊技＞
上記パチンコ機２３０では、発射装置２９３（図３参照）により遊技部３内に発射された遊技球が、一般入賞口９等に入賞すると、所定数（例えば１０個）の賞球を払い出す。
【００２９】
また、普通図柄始動口１０を遊技球が通過したことを条件として、普通図柄表示装置７における普通図柄の変動表示を開始させる。そして、乱数を用いた抽選により、普通図柄表示装置７における普通図柄の停止表示態様を決定し、この決定に基づいて普通図柄の変動表示を停止させる。
【００３０】
ここで、普通図柄表示装置７における普通図柄の停止表示態様が、「当たり」となると、始動入賞口１１に設けられた普通電動役物１３を所定時間（例えば、０．３秒間）だけ遊技球を受け入れ易い状態に切り換える。
【００３１】
また、始動入賞口１１に遊技球が入賞したことを条件として、画像表示装置６における特別図柄の変動表示を開始させる。そして、乱数を用いた抽選により、画像表示装置６における特別図柄の停止表示態様を決定し、この決定に基づいて特別図柄の変動表示を停止させる。
【００３２】
この乱数を用いた抽選には、高低２種類の確率選択テーブルが用いられる。例えば、高確率選択テーブルを選択した場合には、低確率選択テーブルを選択した場合と比較して、約５倍だけ「大当たり」が発生しやすくなっている。
【００３３】
ここで、画像表示装置６における特別図柄の停止表示態様が「大当たり」となると、大入賞口１２を所定時間（例えば３０秒）あるいは所定個数（例えば１０個）の入賞球を受け入れるまで開放する。また、大入賞口１２内には継続入賞口（図示せず）が設けられており、大入賞口１２内に入賞した遊技球が継続入賞口にも入賞すると、上述した大入賞口１２の開放が、所定回数（例えば１６回）に達するまで繰り返される。
【００３４】
＜パチンコ機の背面側の機構＞
パチンコ機２３０の背面側の上部には、図５に示すように、遊技者に対して貸し出すとともに賞球として払い出すための遊技球を貯留するための球タンク２０が設けられている。この球タンク２０の下方には、該球タンク２０からの遊技球を賞球または貸球として払出し口２１側に供給する球通路樋２２および球通路３０が設けられている。この球通路３０の途中には、遊技球を所定数毎に区切って払い出すための球区切り装置４０が設けられている。
【００３５】
また、球区切り装置４０の下方に位置する球通路３０は、遊技者に対して貸し出す遊技球を流下させるための貸出球通路３１と、いずれかの入賞口に遊技球が入賞した際に払い出す賞球を流下させるための賞球通路３２とに分岐している。さらに、球通路３０の分岐部には、遊技球の流下方向を貸出球通路３１と賞球通路３２とに切り替えるための球通路切替装置５０が設けられている。
【００３６】
＜球区切り装置＞
次に、図６〜図８に基づいて、球区切り装置４０および球通路切替装置５０をさらに詳しく説明する。
【００３７】
図６は、球区切り装置４０および球通路切替装置５０の構造を示す斜視図である。また、図７、図８は、球区切り装置４０および球通路切替装置５０の構造を示す背面図であり、図７は、賞球の払出時の状態を示す背面図、図８は、遊技球の貸出時の状態を示す背面図である。なお、図７、図８において、球区切り装置４０および球通路切替装置５０の構造を説明するために、部材の一部を断面として示している。
【００３８】
上述したように、球通路３０は、その途中で貸出球通路３１と賞球通路３２とに分岐している。この球通路３０の分岐部の上方に設けられた球区切り装置４０は、図７〜図８に示すように、球通路３０を流下してきた遊技球を一旦堰き止めて、所定数毎に区切って流下させるためのスプロケット４１と、スプロケット４１の回転を規制するための規制片４２と、規制片４２を駆動するための球区切り制御ソレノイド４３と、規制片４２に対してスプロケット４１の回転規制位置方向へ付勢力を与えるためのバネ４４とを備えている。
【００３９】
この球区切り装置４０は、遊技球の払い出しを行なわない状態では、バネ４４の付勢力により、規制片４２がスプロケット４１に衝接してスプロケット４１の回転を規制しており、遊技球の払い出しを行なう状態では、ソレノイド４３が励磁し、バネ４４の付勢力に抗して規制片４２を引き付け、規制片４２がスプロケット４１から離れてスプロケット４１を回転可能としている。そして、賞球を払い出す場合、あるいは遊技者に対して遊技球を貸し出す場合に、制御装置（図示せず）からの信号に基づいて球区切り制御ソレノイド４３が動作し、規制片４２によりスプロケット４１の回転を規制したり、回転を許可することにより、所定数の遊技球を払い出すようになっている。
【００４０】
＜球通路切替装置＞
また、球通路３０の分岐部に設けられた球通路切替装置５０は、図７、図８に示すように、貸出球通路３１あるいは賞球通路３２のいずれか一方を選択的に塞ぐことにより、球通路３０を切り替えるため切替部材６０と、切替部材６０を駆動するための流路切替ソレノイド５１と、流路切替ソレノイド５１のプランジャ５２に付勢力を与えるためのバネ５３と、切替部材６０とプランジャ５２とを連結するための連結部材５４とを備えている。そして、賞球を払い出す場合、あるいは遊技者に対して遊技球Ｐを貸し出す場合に、制御装置（図示せず）からの信号に基づいて流路切替ソレノイド５１が動作し、連結部材５４を介して切替部材６０の位置を変更することにより、遊技球Ｐの流下路を、貸出球通路３１と賞球通路３２とに切り替える。
【００４１】
＜遊技球の検知センサ＞
球通路３０には、通過する遊技球を検知するための複数の検知センサが設けられている。
【００４２】
すなわち、分岐部の上方に位置する球通路３０には、球通路３０内を流下する遊技球を検知するための球区切り制御センサ７０を取り付け、貸出球通路３１には、貸出球通路３１内を流下する遊技球を検知するための球貸し検知センサ（８０、８０Ａ）を取り付け、賞球通路３２には、賞球通路３２を流下する遊技球を検知するための賞球検知センサ（９０、９０Ａ）を取り付けている。
【００４３】
球区切り制御センサ７０は、フォトセンサからなり、この球区切り制御センサ７０に対向して設けた球区切り制御発光装置（図示せず）からの光線を検出することにより、遊技球の通過個数を検知するようになっている。
【００４４】
以下、本実施形態の主要部分である、上記球貸し検知センサ（８０、８０Ａ）および賞球検知センサ（９０、９０Ａ）について詳細に説明する。
【００４５】
＜球貸し検知センサ、賞球検知センサ＞
球貸し検知センサ（８０、８０Ａ）および賞球検知センサ（９０、９０Ａ）は、遊技球の通過を磁気的な変化を用いて検出する近接センサから構成されている。
【００４６】
球貸し検知センサ（８０、８０Ａ）および賞球検知センサ（９０、９０Ａ）は、互いに同様の構成とされ、いずれも、磁気的検知センサ本体８０、９０およびその下流側に各々密接して設けられた金属板８０Ａ、９０Ａから構成される。このように、球貸し検知センサ（８０、８０Ａ）および賞球検知センサ（９０、９０Ａ）は互いに同様の構成とされていることから、以下の説明では、主に球貸し検知センサ（８０、８０Ａ）をその代表として説明する。
【００４７】
磁気的検知センサ本体８０は、前述した如く、図１１に示すように、その一部に遊技球が１個づつ通過し得る程度の大きさとされた孔部１８０（賞球検知センサでは１９０）と、この磁気的検知センサ本体８０の内部であって、この孔部１８０の付近に設けられた検出コイル部５８２と、この検出コイル部５８２において発生された発振信号に基づいて、遊技球Ｐの通過があったか否かを判別する回路ブロック５８４を備えている。上記孔部１８０は、前述したように８角形形状（例えば、遊技球Ｐの直径が１１ｍｍとされた場合には、最小面間距離１１．２ｍｍ、最大面間距離１１．７ｍｍ）とされているので、遊技球Ｐがこの孔部１８０の上縁部において、そのへりに沿って回転して、孔部１８０をなかなか通過し難い状態となるという事態が防止される。
【００４８】
検出コイル部５８２においては、そのコイルに通電されることにより、磁界が発生し、図中の矢印で示すように、磁束が孔部１８０を通過するように形成される。金属製（導体）の遊技球Ｐがこの孔部１８０に接近し、遊技球Ｐが磁束を切るようにして通過するとき、この遊技球Ｐの表面に渦電流損が発生する。これによりコイルの磁束が減少し、コイル共振信号の振幅が低下する。
【００４９】
回路ブロック５８４では、図１０に示すように、検出コイル部５８２から出力される発振信号を入力され（Ｓ１）、この信号に対して検波処理（ＡＣ信号をＤＣ信号に変換する）を行ない（Ｓ２）、所定の閾値と比較し（Ｓ３）、この比較結果に基づき、球ありとされた場合はＬレベルとし、球なしとされた場合はＨレベルとした矩形波信号に変換して出力し（Ｓ４）、この出力された矩形波信号に基づき遊技球Ｐが通過したか否かが検出されることになる。
【００５０】
ところで、上述した磁気的検知センサ本体８０の遊技球通過検知幅は、３〜８ｍｍ程度と、製品間でバラツキがあるため、遊技球通過検知幅の小さいものが搭載された場合、遊技球Ｐの通過速度が速いと検出コイル部５８２から出力される信号が極めて短いものになってしまい、信号検出を行なうことが困難となる場合があった。
【００５１】
そこで、本実施形態のものでは、図１および図２に示すように、磁気的検知センサ本体８０の下流側に密接して金属板８０Ａ（賞球検知センサでは金属板９０Ａ）を設けるようにしている。
【００５２】
この金属板８０Ａは、磁気的検知センサ本体８０の形状と対応するように、略矩形状をなし、磁気的検知センサ本体８０の孔部１８０と連続する位置に円形状の孔部１８０Ａ（賞球検知センサでは孔部１９０Ａ）が設けられており、例えばこの孔部１８０Ａが、磁気的検知センサ本体８０の８角形状をなす孔部１８０の最小面間距離に一致するように形成されている。
【００５３】
また、この金属板８０Ａとしては耐久性を有するものを選択することが肝要であるが、センサが常時ＯＮ状態となるのを防止するため、あまり強い磁性を有するものは避けることが望ましい。このような観点から強い磁性作用を有さないステンレスから形成することが望ましい。ただし、他の非磁性金属とすることも勿論可能である。
なお、この金属板８０Ａの厚みは、例えば０．２ｍｍとする。
【００５４】
このように、本実施形態のものでは、磁気的検知センサ本体８０に密接して金属板８０Ａを設けるようにした結果、遊技球Ｐの通過する範囲においてコイルが発生する磁力線の長さを上下方向に延長するような状態とすることができ、磁気的検知センサ本体８０の遊技球Ｐの通過検知幅Ｌ２は、例えば図９（Ｂ）に示すように、Ａ点とＣ点の間の距離となる。
【００５５】
これにより、図９（Ａ）に示すように、金属板８０Ａを挿入しなかった場合の通過検知幅Ｌ１と比べると、Ｂ点とＣ点の間の距離だけ通過検知幅を長くすることができたことになる。
また、磁気的検知センサ本体８０の下流側に金属板８０Ａが配設されていることから、遊技球Ｐが金属板８０Ａの孔部１８０Ａを通過するときに、そのへり部分が障害となって、その位置において減速する。
【００５６】
このように金属板８０Ａを上述した所定位置に設けることにより、通過検知幅Ｌ２を長くすることができるとともに遊技球Ｐの通過速度を低下することができ、これらの２つの作用が相俟って、上記通過検知幅内での遊技球Ｐの滞留時間を大幅に長くすることが可能となる。
これにより、遊技球Ｐの検出時間を確保することができ、遊技球Ｐの有無を確実に検出することが可能となる。
【００５７】
図１３は、上記金属板８０Ａとして、ステンレス１（下記化学成分比率参照）およびステンレス２（下記化学成分比率参照）を使用した場合（磁気的検知センサ本体８０の下流側に密接して設けた）の測定結果を示す表である。サンプルは各々１０個作成し、各サンプルについての遊技球検出幅、金属板を設けない場合の遊技球検出幅（初期値）に対する各サンプルを設けた場合の遊技球検出幅の変化率、各サンプルを設けた場合の誤動作の有無について測定した。
【００５８】
図１３から明らかなように、全てのサンプルについて良好な結果が得られた。なお、図１３に示すステンレス１の化学成分比率は、Ｃ（０．１５％以下）、Ｓｉ（１．００％以下）、Ｍｎ（２．００％以下）、Ｐ（０．０４５％以下）、Ｓ（０．０３０％以下）、Ｎｉ（６．００〜８．００％）、Ｃｒ（１６．００〜１８．００％）とした。また、ステンレス２の化学成分比率は、Ｃ（０．０８％以下）、Ｓｉ（１．００％以下）、Ｍｎ（２．００％以下）、Ｐ（０．０４５％以下）、Ｓ（０．０３０％以下）、Ｎｉ（８．００〜１０．５０％）、Ｃｒ（１８．００〜２０．００％）とした。
【００６０】
＜他の実施形態＞
なお、前記金属板８０Ａの孔部１８０Ａとしては、円形形状のみに限られるものではなく、遊技球Ｐの通過速度を減速できるような形状およびサイズのものであれば種々のものを選択可能である。
さらに、金属板８０Ａの形成材料としてステンレスを用いる場合には、ステンレスの種類に応じて異なる磁気特性等を考慮し、磁気的検知センサとの関係から適宜最良のものを選択することが肝要である。
【００６１】
また、上述した実施形態では、代表的な弾球遊技機としてパチンコ機を例にとって説明を行ったが、本発明に係る弾球遊技機の球検出装置は、導体からなる遊技球を弾発して遊技を行なう遊技機であればどのような遊技機にも適用することができ、例えばアレンジボール遊技機に適用することができる。
【００６２】
【発明の効果】
本発明に係る弾球遊技機の球検出装置は、上述した構成を備えているため、以下の効果を奏することができる。
【００６３】
すなわち、磁気センサの球検出用孔部と連続する位置に、該球検出用孔部を通過する遊技球が通過する孔部を有する金属板を、磁気センサに密接させて設けるようにした結果、遊技球の通過する範囲においてコイルが発生する磁力線の長さを上下方向に延長するような状態とすることができ、球検出装置の遊技球の通過検知幅を長くすることができる。
これにより、遊技球の検出時間を確保することができ、遊技球の有無を確実に検出することが可能となる。
【００６４】
また、金属板を磁気センサの下流側に配設すれば、遊技球が金属板の孔部を通過するときに、そのへり部分が障害となって、その位置において減速する。
これにより、遊技球の検出時間をさらに確保することができ、遊技球の有無をさらに確実に検出することが可能となる。
【図面の簡単な説明】
【図１】本発明の実施形態に係る弾球遊技機の球検出装置を示す斜視図
【図２】図１に示す球検出装置の一部分解斜視図
【図３】図１に示す球検出装置を備えたパチンコ機を示す正面図
【図４】図３に示すパチンコ機の遊技盤を示す正面図
【図５】図１に示す球検出装置を備えたパチンコ機の背面図
【図６】図５の一部を拡大して示す斜視図
【図７】図５の一部を拡大して示す図（通常時（賞球時））
【図８】図５の一部を拡大して示す図（球貸し時）
【図９】本発明の実施形態に係る弾球遊技機の球検出装置の作用を示す概略図
【図１０】本発明の実施形態に係る弾球遊技機の球検出装置の作用を説明するためのフローチャート
【図１１】球検出装置（磁気的検知センサ本体）の構成を示す概略図
【図１２】図１１に示す球検出装置（磁気的検知センサ本体）の上面図
【図１３】本発明の実施形態装置において、金属板をステンレス板とした場合の測定結果を示す表
【符号の説明】
１      遊技盤
２      ガイドレール
３      遊技部
４      障害釘
５      風車
６      画像表示装置
７      普通図柄表示装置
８      アウト口
９      一般入賞口
１０      普通図柄始動口
１１      始動入賞口
１２      大入賞口
１３      普通電動役物
１４      画面枠部材
２０      球タンク
２１      払出し口
２２      球通路樋
３０      球通路
３１      貸出球通路
３２      賞球通路
４０      球区切り装置
４１      スプロケット
４２      規制片
４３      球区切り制御ソレノイド
４４、５３      バネ
５０      球通路切替装置
５１      流路切替ソレノイド
５２      プランジャ
５４      連結部材
６０      切替部材
７０      球区切り制御センサ
８０、９０      磁気的検知センサ本体（球検出装置）
８０Ａ、９０Ａ      金属板
１８０、１９０、１８０Ａ、１９０Ａ      孔部
２３０      パチンコ機
２３１      本体側の外枠
２４０      貸球機
２８０      前側枠体
２８１      装飾枠
２８４      開口窓
２９０      操作部
２９１      上受け皿
２９２      下受け皿
２９３      発射装置
２９４      灰皿
２９５      操作パネル
５８２      検出用コイル部
５８４      回路ブロック
Ｐ      遊技球
【図１】
0004163441.tif 000002
【図２】
0004163441.tif 000003
【図３】
0004163441.tif 000004
【図４】
0004163441.tif 000005
【図５】
0004163441.tif 000006
【図６】
0004163441.tif 000007
【図７】
0004163441.tif 000008
【図８】
0004163441.tif 000009
【図９】
0004163441.tif 000010
【図１０】
0004163441.tif 000011
【図１１】
0004163441.tif 000012
【図１２】
0004163441.tif 000013
【図１３】
0004163441.tif 000014